(57)【要約】【課題】風量調整弁の作動性を向上させると共に、強風時にのみ換気を一時的に中断できる、換気装置の構造を実現する。【解決手段】枠本体３ａの内側空間１０ａを屋外側空間と屋内側空間とに仕切ると共に、これら両空間を連通させる開口部３６を有する仕切り壁３１に対し、風量調整弁４ａの回動基部４３を回動可能に支持し、この風量調整弁４ａを風圧により回動させる構成とする。又、風量調整弁４ａが閉弁方向に回動する事に対して弾性的な反力を付与する板ばね５６の基部を、この風量調整弁４ａの屋外側見付け壁４５に固定し、この板ばね５６の先端部を、仕切り壁３１のうちで、開口部３６を挟んで回動基部４３を支持した部分とは反対側部分に突き当てる。【選択図】図４
2015190682.tif 000002
【特許請求の範囲】
【請求項１】
矩形枠状の枠本体と、
この枠本体の屋内外方向中間部に設けられ、この枠本体の内側の空間を屋外側空間と屋内側空間とに仕切ると共に、これら屋外側、屋内側両空間同士を連通させる開口部を有する仕切り壁と、
前記屋外側空間のうち、前記開口部の屋外側に隣接した部分に配置され、前記仕切り壁に対し回動可能に支持された回動基部を中心に回動する事で、前記開口部を通過する風量を調整する風量調整弁と、
この風量調整弁が前記開口部を閉じる方向に回動する事に対し弾性的な反力を付与する付勢部材とを備えた換気装置であって、
前記付勢部材は、前記風量調整弁の屋外側面又はこの風量調整弁の幅方向に関して前記回動基部とは反対側の側面に基部を固定しており、その一部を、前記仕切り壁のうちで、前記開口部を挟んで前記回動基部を支持した部分とは反対側部分の屋外側面に突き当てるものであり、前記風量調整弁の屋内側面を前記仕切り壁の屋外側面に対して当接可能とした事を特徴とする換気装置。
【請求項２】
前記風量調整弁が、前記開口部の幅方向両側部分に設けられた、前記仕切り壁を構成する左右１対の側壁部のうち、何れか一方の側壁部に対し、屋内側から着脱可能に取り付けられた受具に支持されている、請求項１に記載した換気装置。
【請求項３】
前記風量調整弁の回動基部が、前記受具に設けられた受凹部の内側に、摺動部材を介して支持されている、請求項２に記載した換気装置。
【請求項４】
前記開口部を屋内側から塞ぐ状態でフィルタが取り付けられており、このフィルタに固定された取外用紐が、このフィルタと前記仕切り壁との係合部に挟み込まれて屋内側に引き出されている、請求項１〜３のうちの何れか１項に記載した換気装置。
【請求項５】
前記枠本体の屋外側端部に、前記屋外側空間を、一部を除いて室外空間から覆う外板カバーが設けられている、請求項１〜４のうちの何れか１項に記載した換気装置。
【請求項６】
前記枠本体を構成する縦枠と前記外板カバーとの間部分に、上下方向に長い屋外側通風口が設けられている、請求項５に記載した換気装置。
【請求項７】
前記屋外側空間内に、前記開口部に向けて風の進行方向を変更する為の導風部が設けられている、請求項１〜６のうちの何れか１項に記載した換気装置。
【発明の詳細な説明】
【技術分野】
【０００１】
本発明は、住宅やビル等の建物に設置され、窓を開口せずに室内を自然換気する為の換気装置の改良に関する。
【背景技術】
【０００２】
従来から、室内の換気を行う為に、窓を開口する事が行われている。又、室内に流入する風量を調節する為に、窓の開口量（開口幅）を調整する事が行われている。但し、この様な一般的な換気方法は、室内にいる居住者等が窓の開閉作業を繰り返し行わなければならない場合があると共に、防犯性や安全性の面から不利になる。
【０００３】
図１７〜１９は、窓を開口せずに室内の換気を行いたいとの要望に応えるべく考えられた、特許文献１に記載された従来構造の換気装置１を示している。この換気装置１は、窓装置２の側方に隣接する状態で設けられており、枠本体３と、風量調整弁４と、外板カバー５と、開閉扉６とを備える。このうちの枠本体３は、上枠７と、下枠８と、１対の縦枠９、９とから成り、矩形枠状に構成されている。前記風量調整弁４は、断面略楕円形状で、上下方向に長い板状に構成されており、前記枠本体３の内側空間１０に配置されている。又、前記風量調整弁４は、それぞれの両端部を前記両縦枠９、９に固定した複数本の支持軸１１、１１に対し、屋内外方向への摺動可能に支持されている。前記外板カバー５は、前記内側空間１０の屋外側端部の中央部を塞ぐ様にして、前記両縦枠９、９に取り付けられている。この為、前記外板カバー５の幅方向両側部分には、室外空間１２と前記内側空間１０とを連通する、上下方向に長い１対の屋外側通風口１３ａ、１３ａが形成されている。前記開閉扉６は、前記内側空間１０の屋内側通風口１３ｂを開閉可能に、前記両縦枠９、９に対し屋内外方向への遠近動可能に設けられている。
【０００４】
上述の様な構成を有する従来構造の換気装置１により、室内の換気を行うには、前記開閉扉６を開く。これにより、隣接して設けられた前記窓装置２を構成する窓を開口しなくても、室外空間１２から室内空間１４に外気を導入する（給気する）事が可能になると共に、反対に、室内空間１４の空気を室外空間１２に排出する（排気する）事も可能になる。更に、従来構造の換気装置１によれば、この室外空間１２で強い風（風速の速い風）が吹いている様な場合に、前記風量調整弁４を風圧によって室内側に摺動させる（平行移動させる）事により、この風量調整弁４と前記両縦枠９、９との間に形成される通風路を狭め、前記室内空間１４に流入する風量を少なく抑える事ができる。
【０００５】
但し、上述の様な構成を有する従来構造の換気装置１の場合には、前記風量調整弁４を屋内外方向に貫通した貫通孔内に前記各支持軸１１、１１を挿通する事により、この風量調整弁４の屋内外方向への移動を可能としている。この為、前記風量調整弁４を屋内外方向に円滑（スムーズ）に移動させる事が困難になる。従って、風の強さ（風速）に応じて、前記風量調整弁４の移動量を調整する事が難しくなり、室内空間１４に流入する風量を調整する機能を発揮する事が難しくなる。又、従来構造の場合には、特に強い風が吹いた場合に、前記風量調整弁４を屋内側に最大限移動させる事で前記通風路を完全に塞ぐ事が可能になるが、風が弱まった（風速が低下した）場合にも、室内空間１４から前記風量調整弁４を屋外側に押し戻す様な風が吹かない限り、前記通風路が塞がれたままとなり、換気の機会を確保する事が難しくなる。
【先行技術文献】
【特許文献】
【０００６】
【特許文献１】特開２００１−２０６３２号公報
【発明の概要】
【発明が解決しようとする課題】
【０００７】
本発明は、上述の様な事情に鑑み、風量調整弁の作動性を向上させて、室内空間に流入する風量を調整する機能を十分に発揮できると共に、強風時にのみ換気を一時的に中断できる、換気装置を実現すべく発明したものである。
又、本発明は、必要に応じて、換気装置のメンテナンス性を向上する事を目的とするものである。
【課題を解決するための手段】
【０００８】
本発明の換気装置は、枠本体と、仕切り壁と、風量調整弁と、付勢部材とを備える。
このうちの枠本体は、矩形枠状で、例えば上枠と下枠と１対の縦枠とを組み合わせる事により構成されている。
又、前記仕切り壁は、前記枠本体と一体又は別体に造られており、この枠本体の屋内外方向中間部に設けられ、この枠本体の内側の空間を屋外側空間と屋内側空間とに仕切ると共に、これら屋外側、屋内側両空間同士を連通させる開口部を有する。
又、前記風量調整弁は、前記屋外側空間のうち、この開口部の屋外側に隣接した部分に配置され、前記仕切り壁に対し回動可能に支持された回動基部を中心に回動する事で、前記開口部を通過する風量を調整する。
更に、前記付勢部材は、例えば金属製又は合成樹脂製の板ばねやトーションばね（捩りコイルばね）等であり、前記風量調整弁が前記開口部を閉じる方向（閉弁方向）に回動する事に対して、弾性的な反力（弾力）を付与する。
【０００９】
特に本発明の換気装置の場合には、前記付勢部材は、前記風量調整弁の屋外側面（見付け面）又はこの風量調整弁の幅方向に関して前記回動基部とは反対側の側面（見込み面）に基部を固定しており、その一部（例えば先端部）を、前記仕切り壁のうちで、前記開口部を挟んで前記回動基部を支持した部分とは反対側部分の屋外側面に突き当てるものである。この様な構成により、前記風量調整弁が閉弁方向に回動する際に、この風量調整弁と前記仕切り壁との間に前記付勢部材が挟持されない様にし、前記風量調整弁の屋内側面を、前記仕切り壁の屋外側面に対して当接可能としている。
尚、本明細書及び特許請求の範囲で、風量調整弁の屋内側面が仕切り壁の屋外側面に当接するとは、両面同士の隙間が完全にゼロの状態だけでなく、これら両面同士の間に寸法誤差やメタルタッチに基づき微小隙間が生じる場合も含む。
【００１０】
又、本発明を実施する場合には、例えば請求項２に記載した発明の様に、前記風量調整弁を、前記開口部の幅方向両側部分に設けられた、前記仕切り壁を構成する左右１対の側壁部のうち、何れか一方の側壁部に対し、屋内側から着脱可能に取り付けられた受具に支持する。尚、この受具は、仕切り壁の一部を構成しても良いし、構成しなくても良い。
【００１１】
又、上述した様な請求項２に記載した発明を実施する場合には、例えば請求項３に記載した発明の様に、前記風量調整弁の回動基部を、前記受具に設けられた受凹部の内側に、例えば合成樹脂製の摺動部材を介して支持する。
【００１２】
又、本発明を実施する場合には、例えば請求項４に記載した発明の様に、前記開口部を屋内側から塞ぐ状態でフィルタ（通気性を有するフィルタ）を取り付ける。そして、この際に、このフィルタに固定された取外用紐を、このフィルタと前記仕切り壁との係合部に挟み込んだ状態で、屋内側に引き出す。
【００１３】
又、本発明を実施する場合には、例えば請求項５に記載した発明の様に、前記枠本体の屋外側端部に、前記屋外側空間を、一部を除いて室外空間から覆う外板カバーを、この枠本体と一体又は別体に設ける。又、この場合に好ましくは、この外板カバーにより、前記風量調整弁を覆う｛外板カバーにより覆われない屋外側空間の一部（屋外側通風口）の位置を、幅方向に関して風量調整弁から外れた位置とする｝。
又、この様な請求項５に記載した発明を実施する場合には、例えば請求項６に記載した発明の様に、前記枠本体を構成する縦枠と前記外板カバーとの間部分に、上下方向に長い屋外側通風口を設ける。
【００１４】
又、本発明を実施する場合には、例えば請求項７に記載した発明の様に、前記屋外側空間内に、前記開口部（風量調整弁）に向けて風の進行方向を変更する為の導風部を設ける。
【発明の効果】
【００１５】
以上の様な構成を有する本発明の換気装置によれば、風量調整弁の作動性を向上させて、室内空間に流入する風量を一定に保ち易くする事が可能になると共に、強風時にのみ換気を一時的に中断する（風が弱まれば直ちに換気を再開する）事が可能になる。
即ち、本発明の場合には、仕切り壁の開口部を通過する風量を調整する為の風量調整弁を、この仕切り壁に対し回動可能に支持しており、この風量調整弁を風圧により回動させる構成を採用している為、前述した従来構造の場合の様に、屋内外方向に平行移動させる構造に比べて、風量調整弁の作動性を向上させる事ができる。これにより、本発明の場合には、室外空間で吹く風が弱い場合には、風量調整弁を開口部から遠い位置に位置させて、開口部を通過する風量を多く確保し、室外空間で吹く風が強い場合には、風量調整弁を開口部から近い位置に位置させて、開口部を通過する風量を少なくする事ができる。従って、本発明の風量調整弁によれば、室内空間に流入する風量の調整機能を十分に発揮する事が可能になる。
又、本発明の場合には、付勢部材の基部を、前記風量調整弁の屋外側面（見付け面）、又は、この風量調整弁の幅方向に関してこの風量調整弁の回動基部とは反対側の側面（見込み面）に固定し、その一部（例えば先端部）を、前記仕切り壁のうちで、前記開口部を挟んで前記回動基部を支持した部分とは反対側部分の屋外側面に突き当てる様に構成している。これにより、前記風量調整弁が閉弁方向に回動する際に、この風量調整弁と前記仕切り壁との間に前記付勢部材が挟持されない様にし、この風量調整弁の屋内側面を、前記仕切り壁の屋外側面に対して当接可能としている。つまり、この風量調整弁が前記開口部を閉じる際に、前記付勢部材が邪魔にならずに済む。従って、強風時には前記風量調整弁により前記開口部を閉じて換気を一時的に中断する事ができ、風が弱まれば、前記付勢部材の弾力に基づき、前記風量調整弁を押し戻して、直ちに換気を再開させる事が可能になる。又、本発明によれば、強風時に、換気を自動的に中断できる為、換気を中断する為の作業を不要にできると共に、室内空間にいる居住者等に強風による恐怖感を与えずに済む。
【００１６】
又、請求項２に記載した発明の場合には、前記風量調整弁を受具から取り外さずに、この風量調整弁をこの受具ごと、換気装置から屋内側に取り外す事が可能になる。この為、風量調整弁のメンテナンス性を向上する事ができる。
又、請求項３に記載した発明によれば、前記風量調整弁の作動性（回動性）をより向上する事ができる。
又、請求項４に記載した発明の場合には、前記仕切り壁の屋内側面に取り付けられたフィルタを、取外用紐を屋内側から引っ張る事で取り外す事が可能になる。この為、フィルタのメンテナンス性の向上を図れる。
又、請求項６に記載した発明の場合には、屋外側通風口を上下方向に広く確保できる為、室内空間の温度が高くなり易いこの屋外側通風口の上部では排気を行い、室内空間の温度が低くなり易いこの屋外側通風口の下部では給気を行わせる事ができる。又、屋外側通風口を形成する為の加工を省略する事ができる為、加工コストの低減を図れる。
更に、請求項７に記載した発明の場合には、換気の効率を向上する事ができる。
【図面の簡単な説明】
【００１７】
【図１】本発明の実施の形態の第１例を示す、換気装置を組み込んだ窓装置を屋内側から見た正面図。
【図２】同じく屋外側から見た正面図。
【図３】同じく換気装置のみを取り出して示す正面図。
【図４】同じく横断面図。
【図５】同じく縦断面図。
【図６】同じくハンドル操作に伴いロックピンがピン受部に対して上下方向にスライドする状態を説明する為の正面図。
【図７】同じくストッパ部材を取り出して示す平面図（Ａ）及び左側面図（Ｂ）。
【図８】同じくスイングアームを取り出して示す、平面図（Ａ）及び側面図（Ｂ）。
【図９】同じくキャップ部材を取り出して示す平面図（Ａ）及び左側面図（Ｂ）。
【図１０】同じく風量調整弁を取り出して示す端面図。
【図１１】同じく受具を取り出して示す端面図。
【図１２】同じく摺動部材を取り出して示す、端面図（Ａ）及び側面図（Ｂ）。
【図１３】同じく板ばねを取り出して示す、端面図（Ａ）及び側面図（Ｂ）。
【図１４】同じくフィルタを取り出して示す正面図（Ａ）、及び、フィルタを構成する枠体の端面図（Ｂ）。
【図１５】本発明の実施の形態の第２例を示す、図１３に相当する図。
【図１６】同じく一部を省略して示す、図４に相当する横断面図。
【図１７】従来構造の換気装置を屋内側から見た状態で示す斜視図。
【図１８】同じく換気装置の断面斜視図。
【図１９】同じく風量調整弁の支持構造を説明する為に一部を省略して示す斜視図。
【発明を実施するための形態】
【００１８】
［実施の形態の第１例］
図１〜１４は、本発明の実施の形態の第１例を示している。本例の換気装置１ａは、窓装置２ａと一体的に設けられており、この窓装置２ａを構成する窓枠１５に固定された枠本体３ａを備える。この枠本体３ａは、水平方向に配置されて上辺を構成する上枠７ａと、同じく水平方向に配置されて下辺を構成する下枠８ａと、鉛直方向に配置されて左右の縦辺を構成する１対の縦枠９ａ、９ｂとから成り、これら各枠７ａ〜９ｂのそれぞれの端部を連結する事により矩形枠状に構成されている。これら各枠７ａ〜９ｂは何れも、アルミニウム合金の一体押し出し成型材製である。尚、前記両縦枠９ａ、９ｂのうち、一方の縦枠９ｂは、前記窓枠１５の縦枠としても機能し、他方の縦枠９ａは、この窓枠１５の方立としても機能する。
【００１９】
前記枠本体３ａの屋外側端部には、この枠本体３ａの内側空間１０ａを、一部（屋外側通風口１３ａ）を除いて外部空間から覆う、外板カバー５ａが設けられている。この外板カバー５ａは、アルミニウム合金の一体押し出し成形材製で、断面略Ｌ字形に造られており、前記一方の縦枠９ｂの内側面に複数本のボルト１６により固定されている。そして、この様に前記外板カバー５ａを固定した状態で、この外板カバー５ａと他方の縦枠９ａの内側面との間に、上下方向（鉛直方向）に長い屋外側通風口１３ａを形成している。尚、本例の場合には、前記外板カバー５ａを、前記枠体３ａ（縦枠９ｂ）と別体としているが、一体に設ける事もできる。
【００２０】
これに対し、前記枠本体３ａの屋内側端部には、前記内側空間１０ａの屋内側通風口１３ｂを開閉可能とする、開閉扉６ａが設けられている。この開閉扉６ａは、その幅方向一端部を前記一方の縦枠９ｂの屋内側端部に回動可能に支持されている。又、この開閉扉６ａの幅方向他端部の上下方向中間部には、ハンドル１７が設けられており、このハンドル１７の操作に伴い、リンク機構を介して、ロックピン１８を上下方向にスライド移動させる事ができる。そして、このロックピン１８と、前記他方の縦枠９ａの屋内側端部に固定されたピン受部１９との上下方向位置を一致させる事で、前記開閉扉６ａを閉じる事ができ、上下方向位置をずらす事で、この開閉扉６ａを開く事ができる。又、本例の場合には、この開閉扉６ａの開度を段階的（例えば６０度、９０度）に調節可能とする為に、この開閉扉６ａの上端部と前記上枠７ａとの間に、図７、８に示した様な、ストッパ部材２０とスイングアーム２１とを設けている。具体的には、このうちのストッパ部材２０を、前記開閉扉６ａの上端部に、後述するキャップ部材２８ａを介して固定している。又、前記スイングアーム２１を、１対のアーム２２ａ、２２ｂにより構成している。そして、これら両アーム２２ａ、２２ｂの一端部同士を相対回転可能に枢支ピン２３により連結すると共に、一方のアーム２２ａを前記上枠７ａに固定し、他方のアーム２２ｂの他端部に固定した可動ピン２４を、前記ストッパ部材２０に形成されたスライド溝２５内に移動可能に挿入する。これにより、このスライド溝２５に設けられた突起部２６ａ、２６ｂと前記可動ピン２４との係合により、前記開閉扉６ａの開度が段階的に調節可能になる。又、この開閉扉６ａの幅方向他端部の屋外側面にはパッキン２７を保持しており、この開閉扉６ａを閉じた際に、前記他方の縦枠９ａとの間の気密性を確保している。又、この開閉扉６ａの上下両端部には、それぞれパッキン２７ａ、２７ｂを保持したキャップ部材２８ａ、２８ｂが固定されており、前記開閉扉６ａを閉じた際に、前記上枠７ａ及び前記下枠８ａとの間の気密性をそれぞれ確保している。
【００２１】
又、前記枠本体３ａの屋内外方向中間部に、前記内側空間１０ａを屋外側空間２９と屋内側空間３０とに仕切る（二分する）、仕切り壁３１が設けられている。本例の場合、この仕切り壁３１は、それぞれが略同一仮想平面上に存在する、前記上枠７ａの下面のうちの屋内外方向中間部に設けられた垂下壁部３２と、前記下枠８ａの上面のうちの屋内外方向中間部に設けられた起立壁部３３と、前記両縦枠９ａ、９ｂの互いに対向する内側面のうち、それぞれの屋内外方向中間部に設けられた左右１対の側壁部３４ａ、３４ｂと、このうちの一方（図４の左側）の側壁部３４ａに固定された受具３５とから構成されている。又、この様に構成される前記仕切り壁３１には、前記屋外側空間２９と前記屋内側空間３０とを連通させる、上下方向に長い長方形状の開口部３６が設けられている。この開口部３６は、前記垂下壁部３２の下端縁、前記起立壁部３３の上端縁、前記受具３５の先端縁（係合板部３９ａの内側面）、及び、他方の側壁部３４ｂの先端縁（係合板部３９ｂの内側面）の内側に形成されている。又、前記各壁部３２〜３４ａの屋内側面の先端部、及び、前記他方の側壁部３４ｂの屋内側面の幅方向中間部には、それぞれ条溝３７ａ〜３７ｄが矩形環状に連続する状態で設けられている。そして、これら条溝３７ａ〜３７ｄ内には、前記開口部３６を囲む様に、矩形環状のパッキン３８が保持されている。又、前記他方の側壁部３４ｂの屋内側面の先端部には、屋内側に直角に折れ曲がると共に、外側面に突起６８を有する係合板部３９ｂが設けられている。
【００２２】
又、前記屋外側空間２９のうち、前記屋外側通風口１３ａの屋内側に隣接する部分には、この屋外側通風口１３ａから導入された風の進行方向を、前記開口部３６（後述する風量調整弁４ａ）に向けて滑らかに変更する為の導風部材４０が設けられている。この導風部材４０は、アルミニウム合金の一体押し出し成形材製であり、凹円弧形に湾曲した湾曲面部４１を有し、前記両縦枠９ａ、９ｂのうちの他方の縦枠９ａの内側面に複数本のボルト１６ａにより固定されている。尚、本例の場合には、前記導風部材４０を、前記枠体３ａ（縦枠９ａ）と別体としているが、一体に設ける事もできる。
【００２３】
又、前記屋外側空間２９のうち、前記開口部３６の屋外側に隣接する部分には、この開口部３６を通過する風量を調整する為の風量調整弁４ａが設けられている。この風量調整弁４ａは、アルミニウム合金の一体押し出し成形材製であり、その幅寸法及び全長（上下方向寸法）が、前記開口部３６の幅寸法及び上下方向寸法よりもそれぞれ僅かに大きい。又、前記風量調整弁４ａは、図１０に示す様に、弁本体４２と、回動基部４３とを有する。このうちの弁本体４２は、全体形状を台形筒状（中空状）に形成されており、屋内側見付け壁４４と、屋外側見付け壁４５と、基端側見込み壁４６と、先端側見込み壁４７とから構成されている。本例の場合、これら屋内側、屋外側両見付け壁４４、４５同士の間隔が、幅方向に関して前記基端側見込み壁４６から離れる程（先端側見込み壁４７に近づく程）大きくなる様に、前記屋外側見付け壁４５を前記屋内側見付け壁４４に対して傾斜（図示の例では５°程度傾斜）させている。これにより、前記屋外側通風口１３ａを通じて導入され、前記導風部材４０により風向きを変更された風を、前記屋外側見付け壁４５の外面によって効率良く受けられる様にしている。又、前記基端側見込み壁４６の肉厚寸法を、前記屋内側、屋外側両見付け壁４４、４５及び前記先端側見込み壁４７の肉厚寸法よりも大きくして、前記回動基部４３との連続部の剛性を高めている。
又、この回動基部４３は、前記弁本体４２の幅方向片側面を構成する前記基端側見込み壁４６の外面から幅方向に突出する状態で設けられており、張出板部４８と、この張出板部４８の先端部に設けられた、断面円形状で全体を略円柱状とした軸部４９とを備える。
【００２４】
上述した様な構成を有する前記風量調整弁４ａは、前記枠本体３ａとは別体で、且つ、前記仕切り壁３１の一部を構成する受具３５に対し、回動（スイング）可能に支持されている。この受具３５は、アルミニウム合金の一体押し出し成形材製で、図１１に示す様に、前記一方の側壁部３４ａの延長上に設けられた基板部５０と、この基板部５０の屋内側面の先端部から屋内側に直角に折れ曲がると共に、外側面に突起６８を有する係合板部３９ａと、前記基板部５０の屋内側面の中間部から屋内側に突出する状態で設けられた突き当て板部５１と、この基板部５０の屋外側面の中間部から屋外側に突出すると共に、この基板部５０の先端側に折れ曲がる状態で設けられた、断面略コ字形の受部本体５２とを有する。又、この受部本体５２の内側面には、断面略円弧状の受凹部５３が形成されている。そして、前記基板部５０のうちの基半部の屋内側面を、前記一方の側壁部３４ａの屋外側面に当接させると共に、前記突き当て板部５１をこの側壁部３４ａの先端面（条溝３７ｃの側面）に突き当てた状態で、それぞれの頭部を前記条溝３７ｃ内に配置した複数本の取付ボルト５４により、前記受具３５を前記一方の側壁部３４ａに対して屋内側から着脱可能に取り付けている。尚、この様に、受具３５を取り付けた状態で、前記受部本体５２は、前記屋外側空間２９内に配置され、前記係合板部３９ａ及び前記突き当て板部５１は、前記屋内側空間３０に配置される。
【００２５】
そして、本例の場合には、前記受部本体５２に形成された受凹部５３の内側に、前記回動基部４３を構成する軸部４９を、複数個の摺動部材５５を介して、がたつきなく挿入している。これら各摺動部材５５は、ポリアミド樹脂や６６ナイロン等の摺動性の高い合成樹脂から造られており、断面略Ｃ字形で、全体を略円筒状に形成されている。本例の場合には、この様な構成を有する前記各摺動部材５５を、前記受凹部５３と前記軸部４９との間に、上下方向に離隔した状態で複数個（例えば上下２個所に）設けている。そして、この様に、前記受凹部５３の内側に前記軸部４９を挿入した状態で、前記風量調整弁４ａを構成する前記回動基部４３が、前記仕切り壁３１を構成する前記受具３５に対し回動可能に支持された状態となる。又、本例の場合には、前記軸部４９の外周面が前記受凹部５３の内周面に対して直接接触（金属接触）する事がない為、前記風量調整弁４ａの回動抵抗は十分に低く抑えられる。又、本例の場合、この風量調整弁４ａの回動限界は、この風量調整弁４ａと他の部材との接触により図られている。具体的には、この風量調整弁４ａの前記開口部３６から離れる方向（開弁方向、図４の反時計回り）への回動限界位置は、前記受部本体５２の開口部と前記回動基部４３を構成する張出板部４８との当接によって規制される。これに対し、前記風量調整弁４ａの前記開口部３６に近づく方向（閉弁方向、図４の時計回り）への回動限界位置は、前記屋内側見付け壁４４の外面（屋内側面）と、前記仕切り壁３１を構成する他方の側壁部３４ｂの屋外側面との当接によって規制される。
【００２６】
本例の場合には、上述の様な構成を有する前記風量調整弁４ａのうち、上下方向中間部に、付勢部材である板ばね５６を固定している。この板ばね５６は、この風量調整弁４ａが閉弁方向に回動する事に対し弾性的な反力を付与する（開弁方向に押圧する）もので、ステンレスのばね鋼等の金属板又はポリカーボネート、ポリエーテルエーテルケトン、ポリアセタール等の合成樹脂から造られている。又、前記板ばね５６は、断面略Ｎ字形で、基部である取付板部５７と、この取付板部５７の一側縁から鈍角に（図示の例では自由状態でおよそ１１０度だけ）折れ曲がる状態で設けられた腕板部５８とを有する。このうちの取付板部５７は、前記弁本体４２を構成する屋外側見付け壁４５の外面（屋外側面）の先端寄り部分に対し、１対の取付ボルト５９により固定されている。又、前記腕板部５８は、前記弁本体４２の先端側見込み壁４７との間に隙間を有する状態で、屋内側に向かって延出しており、その先端部に設けられた断面円弧形の凸湾曲部６０を、前記仕切り壁３１を構成する他方の側壁部３４ｂの屋外側面に対し幅方向への摺動可能に突き当てている。この為、本例の場合には、前記風量調整弁４ａが前記開口部３６を閉じる際に、前記板ばね５６が邪魔になる事はない。又、この風量調整弁４ａが屋内外方向に関して前記開口部３６に近づく程（開口部３６の開口量を小さくする程）、前記凸湾曲部６０は幅方向に関して前記開口部３６から遠い位置に移動し、前記板ばね５６の弾性変形量（取付板部５７と腕板部５８との開度）が大きくなる。この為、この板ばね５６は、前記風量調整弁４ａが、前記開口部３６から遠い位置（開口量が大きい位置）に存在する場合には小さな弾力を付与し、この開口部３６に近づく程大きな弾力を付与する。従って、前記屋外側通風口１３ａから導入される風の強さ（風圧）が所定値に達するまでは、前記風量調整弁４ａにより前記開口部３６を閉じずに、流入する風量を次第に少なくしつつ、換気を続ける事ができる。
尚、本例の場合には、前記凸湾曲部６０を、前記他方の側壁部３４ｂの屋外側面に対し常に突き当てている。又、この他方の側壁部３４ｂの屋外側面には、摺動性や防音性を高める為の部材（例えば樹脂製の部材）を固定したり、表面処理等を施す事ができる。
【００２７】
本例の場合、室外空間１２及び室内空間１４が無風状態である場合（換気が行われない場合）、及び、室外空間１２に排気する場合には、前記板ばね５６の弾力により、前記風量調整弁４ａを開弁方向の回動限界位置（図４の実線位置）に位置させる。そして、前記屋外側通風口１３ａから導入される風が強くなるに応じて、前記板ばね５６を構成する凸湾曲部６０を前記開口部３６から離れる方向に摺動させて、前記風量調整弁４ａを閉弁方向に回動させる。特に本例の場合には、前記屋外側通風口１３ａから導入される風が所定の風速（設定値）以上の強風になった場合に、前記風量調整弁４ａを閉弁方向の回動限界位置（図４の二点鎖線位置）に位置させる。つまり、前記屋内側見付け壁４４の屋内側面を、前記仕切り壁３１を構成する他方の側壁部３４ｂの屋外側面に当接させて、前記開口部３６を閉じる（換気を中断する）。
【００２８】
又、本例の場合、前記仕切り壁３１の屋内側面に対して、前記開口部３６を屋内側から塞ぐ状態で、通気性を有するフィルタ６１を取り付けている。このフィルタ６１は、前記開口部３６を通過する空気中に含まれる塵や埃、花粉等を捕集する為のもので、図１４に示す様に、フィルタ本体６２と、枠体６３と、取外紐６４とを備える。このうちのフィルタ本体６２は、ポリウレタンフォーム等の樹脂によりスポンジ状に造られており、その全体形状を前記開口部３６の形状に合わせて直方体状としている。又、前記枠体６３は、ポリ塩化ビニル（ＰＶＣ）等の合成樹脂製であり、前記フィルタ本体６２を抱持する断面略Ｃ字形の抱持部６５と、この抱持部６５の幅方向両側に設けられた、１対の係止部６６ａ、６６ｂとを有する。この抱持部６５は、前記フィルタ本体６２をがたつきなく収納可能な大きさを有しており、その幅寸法は前記開口部３６の幅寸法よりも僅かに小さい。又、前記両係止部６６ａ、６６ｂは、前記抱持部６５から幅方向両側に突出すると共に、その先端部が屋外側に直角に折れ曲がった形状（断面略Ｌ字形状）をしており、それぞれの先端縁部にく字形の返し部６７、６７が設けられている。又、前記取外紐６４は、布又はビニル製等で、前記抱持部６５の屋外側の面にその基端部が固定されている。
【００２９】
この様なフィルタ６１は、前記仕切り壁３１に設けられた１対の係合板部３９ａ、３９ｂを利用して、この仕切り壁３１に取り付けられている。具体的には、前記抱持部６５を前記両係合板部３９ａ、３９ｂ同士の間に挿入すると共に、前記抱持部６５と前記両係止部６６ａ、６６ｂとの間部分に、前記両係合板部３９ａ、３９ｂを挿入する。これにより、前記両係合板部３９ａ、３９ｂの先端部に設けられた突起６８、６８を前記返し部６７、６７よりも屋内側に移動させて、これら両突起６８、６８と返し部６７、６７とを係合させる。又、本例の場合には、前記取外紐６４の中間部を、片方の係合板部３９ａ（３９ｂ）及び係止部６６ａ（６６ｂ）の突起６８と返し部６７との係合部に挟み込んだ（巻き込ませた）状態で、前記取外紐６４の先端部を屋内側に引き出している。尚、この様に、前記フィルタ６１を前記仕切り壁３１に取り付けた状態で、このフィルタ６１の屋内側の側面を、前記パッキン３８の自由状態での屋内側端部よりも屋外側に位置させている。
【００３０】
以上の様な構成を有する本例の換気装置１ａにより、室内の換気を行う場合には、前記開閉扉６ａを前記ハンドル１７の操作により所定の角度（開度）だけ開けば良い。これにより、室内空間１４と室外空間１２とが、前記換気装置１ａを介して連通した状態となる為、室内空間１４への給気と、室外空間１２への排気とをそれぞれ行う事が可能になる。特に本例の換気装置１ａの場合には、前記風量調整弁４ａを、前記仕切り壁３１に対し回動可能に支持しており、この風量調整弁４ａを風圧により回動させる構成を採用している為、前記図１７〜１９に示した従来構造の場合の様に、支持軸に対して屋内外方向に平行移動させる構造に比べて、前記風量調整弁４ａの作動性を向上させる事ができる。しかも、本例の場合には、前記風量調整弁４ａを構成する軸部４９を、前記受具３５を構成する受凹部５３内に前記各摺動部材５５を介して挿入している為、前記風量調整弁４ａの回動抵抗を小さく抑えられ、この風量調整弁４ａの作動性をより一層向上させる事が可能になる。これにより、本例の場合には、室外空間１２で吹く風が弱い場合には、前記風量調整弁４ａを前記開口部３６から遠い位置に位置させて、この開口部３６を通過する風量を多く確保し、室外空間１２で吹く風が強い場合には、前記風量調整弁４ａを前記開口部３６から近い位置に位置させて、この開口部３６を通過する風量を少なくする事ができる。従って、本例の風量調整弁４ａによれば、室内空間１２に流入する風量の調整機能を十分に発揮する事が可能になる。
【００３１】
又、本例の場合には、前記板ばね５６の基部である取付板部５７を、前記風量調整弁４ａを構成する屋外側見付け壁４５の外面（屋外側面）に固定すると共に、前記腕板部５８の凸湾曲部６０を、前記他方の側壁部３４ｂの屋外側面に突き当てる様に構成している。これにより、この風量調整弁４ａが閉弁方向に回動する際に、この風量調整弁４ａと前記仕切り壁３１との間に前記板ばね５６が挟持されない様にし、この風量調整弁４ａを構成する屋内側見付け壁４４の屋内側面を、前記仕切り壁３１を構成する他方の側壁部３４ｂの屋外側面に対して当接可能としている。つまり、この風量調整弁４ａが前記開口部３６を閉じる際に、前記板ばね５６が邪魔にならずに済む。従って、強風時には前記風量調整弁４ａにより前記開口部３６を閉じて換気を一時的に中断する事ができ、風が弱まれば、前記板ばね５６の弾力に基づき、前記風量調整弁４ａを押し戻して、直ちに換気を再開させる事が可能になる。又、本例の場合には、強風時に、換気を自動的に中断できる為、換気を中断する為の作業が不要になると共に、居住者等に強風による恐怖感を与えずに済む。
【００３２】
又、本例の場合には、前記風量調整弁４ａを前記受具３５から取り外さずに、この風量調整弁４ａをこの受具３５ごと、前記換気装置１ａから屋内側に取り外す事が可能になる。より具体的には、前記フィルタ６１を前記仕切り壁３１から取り外した後、矩形枠状の前記パッキン３８のうち、前記取付ボルト５４と整合する部分のみを前記条溝３７ｃから取り外す。そして、この取付ボルト５４を外す事により、前記風量調整弁４ａを前記受具３５と一体の状態で、ケンドン式に取り外す事ができる。この為、この風量調整弁４ａのメンテナンス性を向上する事ができる。又、本例の場合には、前記フィルタ６１を、前記取外用紐６４を屋内側から引っ張る事で取り外す事ができる。この為、前記風量調整弁４ａを取り外す際の作業性を向上できると共に、このフィルタ６１自体のメンテナンス性の向上を図れる。
【００３３】
更に、本例の場合には、前記屋外側通風口１３ａを上下方向に広く確保できる為、室内空間１４の温度が高くなり易いこの屋外側通風口１３ａの上部では排気を行い、室内空間１４の温度が低くなり易いこの屋外側通風口１３ａの下部では給気を行わせる事ができる。又、前記屋外側通風口１３ａを、前記外板カバー５ａと前記他方の縦枠９ａとの間部分により構成している為、この屋外側通風口を別途加工する場合に比べて、加工作業を省略できる為、加工コストの低減を図れる。又、清掃作業の作業効率を向上する事も可能になる。
【００３４】
［実施の形態の第２例］
図１５〜１６は、本発明の実施の形態の第２例を示している。本例の特徴は、特許請求の範囲に記載した付勢部材に相当する板ばね５６ａの形状及び取付位置を、前記実施の形態の第１例の場合とは変更した点にある。その他の部分の構成及び作用効果に就いては、この第１例の場合と同じである為、重複する説明及び図示は省略し、以下、本例の特徴部分を中心に説明する。
【００３５】
前記板ばね５６ａは、断面略Ｊ字形で、取付板部５７ａと、この取付板部５７ａの一側縁から鈍角に（図示の例では自由状態でおよそ１６０度だけ）折れ曲がる状態で設けられた腕板部５８ａとを有する。このうちの取付板部５７ａは、弁本体４２を構成する先端側見込み壁４７の外面に対し、１対の取付ボルト５９ａにより固定されている。又、前記腕板部５８ａは、前記弁本体４２の屋内側見付け壁４４から離れる方向、且つ、屋内側に向かって延出しており、その先端部に設けられた断面円弧形の凸湾曲部６０ａを、仕切り壁３１を構成する他方の側壁部３４ｂの屋外側面に対し幅方向への摺動可能に突き当てている。
【００３６】
以上の様な構成を有する本例の場合にも、風量調整弁４ａを構成する屋内側見付け壁４４の外面（屋内側面）が、前記仕切り壁３１を構成する他方の側壁部３４ｂの屋外側面に当接可能となる。この為、強風時には前記風量調整弁４ａにより開口部３６を閉じて換気を一時的に中断する事ができ、風が弱まれば、前記板ばね５６ａの弾力に基づき、前記風量調整弁４ａを押し戻して、直ちに換気を再開させる事が可能になる。又、本例の場合には、外板カバー５ａを一方の縦枠９ｂと一体的に設ける事で、部品点数の低減によるコスト低減を図っている。
その他の構成及び作用効果に就いては、前記実施の形態の第１例の場合と同様である。
【産業上の利用可能性】
【００３７】
上述した実施の形態の各例では、換気装置を窓装置と一体として設けた例を示したが、本発明の換気装置は、単独で設ける事ができる。又、窓装置と一体として設ける場合に、この窓装置の種類は問わない（引違式や開き窓、連窓等、各種構造を採用できる）。又、前記実施の形態の各例では、風量調整弁に対して付勢部材である板ばねを１個だけ取り付けた構造を例に説明したが、本発明を実施する場合には、付勢部材の数が１個に限定されず、複数個設ける事ができる。
【符号の説明】
【００３８】
１、１ａ  換気装置
２、２ａ  窓装置
２ａ１    窓枠
３、３ａ  枠本体
４、４ａ  風量調整弁
５、５ａ  外板カバー
６、６ａ  開閉扉
７、７ａ  上枠
８、８ａ  下枠
９、９ａ、９ｂ  縦枠
１０、１０ａ  内側空間
１１    支持軸
１２    室外空間
１３ａ    屋外側通風口
１３ｂ    屋内側通風口
１４    室内空間
１５    窓枠
１６、１６ａ  ボルト
１７    ハンドル
１８    ロックピン
１９    ピン受部
２０    ストッパ部材
２１    スイングアーム
２２ａ、２２ｂ  アーム
２３    枢支ピン
２４    可動ピン
２５    スライド溝
２６ａ、２６ｂ  突起部
２７、２７ａ、２７ｂ  パッキン
２８ａ、２８ｂ  キャップ部材
２９    屋外側空間
３０    屋内側空間
３１    仕切り壁
３２    垂下壁部
３３    起立壁部
３４ａ、３４ｂ  側壁部
３５    受具
３６    開口部
３７ａ〜３７ｄ  条溝
３８    パッキン
３９ａ、３９ｂ  係合板部
４０    導風部材
４１    湾曲面部
４２    弁本体
４３    回動基部
４４    屋内側見付け壁
４５    屋外側見付け壁
４６    基端側見込み壁
４７    先端側見込み壁
４８    張出板部
４９    軸部
５０    基板部
５１    突き当て板部
５２    受部本体
５３    受凹部
５４    取付ボルト
５５    摺動部材
５６、５６ａ  板ばね
５７、５７ａ  取付板部
５８、５８ａ  腕板部
５９、５９ａ  取付ボルト
６０、６０ａ  凸湾曲部
６１    フィルタ
６２    フィルタ本体
６３    枠体
６４    取外紐
６５    抱持部
６６ａ、６６ｂ  係止部
６７    返し部
６８    突起
【図１】
2015190682.tif 000003
【図２】
2015190682.tif 000004
【図３】
2015190682.tif 000005
【図４】
2015190682.tif 000006
【図５】
2015190682.tif 000007
【図６】
2015190682.tif 000008
【図７】
2015190682.tif 000009
【図８】
2015190682.tif 000010
【図９】
2015190682.tif 000011
【図１０】
2015190682.tif 000012
【図１１】
2015190682.tif 000013
【図１２】
2015190682.tif 000014
【図１３】
2015190682.tif 000015
【図１４】
2015190682.tif 000016
【図１５】
2015190682.tif 000017
【図１６】
2015190682.tif 000018
【図１７】
2015190682.tif 000019
【図１８】
2015190682.tif 000020
【図１９】
2015190682.tif 000021